(57)【特許請求の範囲】
【請求項１】
通常のスーツケースの中にすっぽり収まる程度の略長方形のボードに、生地を全面に覆い被せて形成された背ボードと蒲鉾型収納ポケットから成る凹凸専用収納ケースであり、蒲鉾型収納ポケットは、網目が粗く中が透けて見えるようなメッシュ生地で形成される縦長の収納ポケットを３列に並べ、各収納ポケットの間を縫着して仕切り、各収納ポケット毎に開閉ファスナーを設けるが、その際、開閉ファスナーは隣り合う２列の収納ポケットについては仕切り部に沿って設け、残った１列だけは、外側縁に沿って設け、このように形成された蒲鉾型収納ポケットを、背ボードの長手辺に並行に置き、長手辺両縁に沿って固着し、蒲鉾型収納ポケット及び背ボードの両者の短手辺縁は固着せず、両者の間は引き離せばトンネル状になるようなフリーな空間が残るように意図的に形成され、蒲鉾型収納ポケットは、背ボードの短手辺に並行な方向に一定の限度内で位置が微妙にずれ合う余地が保持され、スーツケースの凹凸スペースに柔軟に適応して収まることができることを特徴とする凹凸専用収納ケース。
【発明の詳細な説明】
【技術分野】
【０００１】  本発明は、スーツケース内部における取っ手収納部の凹みスペースを有効活用し、繁雑な小物類をすっきりと一体型に収納することを可能にする凹凸専用収納ケースに関するものである。
【背景技術】
【０００２】  旅行用小物収納ケースはメッシュやナイロンなど様々な素材のものがあり、色も鮮やかなものや多種多様なものが販売されているが、形状においては、マチのある長方形または正方形タイプのものが大半を占めている。
【発明の概要】
【発明が解決しようとする課題】
【０００３】  従来の小物収納ケースでは、スーツケース内部の取っ手収納部の凹みスペースに隙間なくすっきりと収まるようなものはなく、凹みスペースが有効に活用されず、物が入れづらくて不便を感じることが多かった。凹みスペースに小物を入れてうまく空間を活用したとしても、小物が固定されて収納されているわけではないので、スーツケースを開くと散らばったりしてスーツケース内部が繁雑になりがちであった。
本発明はスーツケース内部の収納スペースにおける上記のような問題点を解決し、スーツケース内の凹みスペースを有効活用し、繁雑になりやすい小物を整然と収納する一体型の収納を可能にしたものである。
【課題を解決するための手段】
【０００４】
通常のスーツケースの中にすっぽり収まる程度の略長方形のボードに、生地を全面に覆い被せて形成された背ボードと蒲鉾型収納ポケットから成る凹凸専用収納ケースであり、蒲鉾型収納ポケットは、網目が粗く中が透けて見えるようなメッシュ生地で形成される縦長の収納ポケットを３列に並べ、各収納ポケットの間を縫着して仕切り、各収納ポケット毎に開閉ファスナーを設けるが、その際、開閉ファスナーは隣り合う２列の収納ポケットについては仕切り部に沿って設け、残った１列だけは、外側縁に沿って設け、このように形成された蒲鉾型収納ポケットを、背ボードの長手辺に並行に置き、長手辺両縁に沿って固着し、蒲鉾型収納ポケット及び背ボードの両者の短手辺縁は固着せず、両者の間は引き離せばトンネル状になるようなフリーな空間が残るように意図的に形成され、蒲鉾型収納ポケットは、背ボードの短手辺に並行な方向に一定の限度内で位置が微妙にずれ合う余地が保持され、スーツケースの凹凸スペースに柔軟に適応して収まることができる。
以上を特徴とする凹凸専用収納ケースである。
【発明の効果】
【０００５】  スーツケースを開くと、スーツケースの片側はフラットで物が入れやすいのに対して、取っ手が収納される側のスーツケース内部は、凹凸があるために物が入れづらく、不便を感じることが多い。凹みスペースに小物を入れて空間を活用したとしても、小物が固定されて収納されるわけではないので、スーツケースを開くと散らばったりしてスーツケース内部が繁雑になりがちである。従来の収納ケースでは、このような凹凸部分の凹みスペースに隙間なくすっきり収まるようなものはなく、凹みスペースが有効に活用されていないことが多い。
本発明は、スーツケース内部の収納スペースにおける上記のような問題点を解決し、スーツケース内のデッドスペースを有効活用し、繁雑になりやすい小物を整然と収納する一体型の収納を可能にしたものである。また、小物を収納した状態で、凹みスペースに収納ケースをはめ込むとその背の部分がフラットになるので、その上に他の物を置き易いというメリットもあり、旅行用小物収納ケースとしての理想的な使用効果が期待できる。
【図面の簡単な説明】
【０００６】
【図１】本発明を裏側から見た斜視図
【図２】本発明を表側から見た斜視図
【図３】本発明をスーツケースに装着しようとしている状態を示す側面図
【図４】スーツケースの凹み部を示す平面図
【図５】本発明をスーツケースに装着しようとしている状態を示す平面図
【発明を実施するための形態】
【０００７】
以下、本発明の実施の形態を説明する。
通常のスーツケースの中にすっぽり収まる程度の略長方形のボードに、生地を全面に覆い被せて形成された背ボード（１）と蒲鉾型収納ポケット（３）から成る凹凸専用収
納ケースである。蒲鉾型収納ポケット（３）は、網目が粗く中が透けて見えるようなメッシュ生地で形成される蒲鉾型収納ポケット（３ａ）、（３ｂ）、（３ｃ）を３列に並べ、蒲鉾型収納ポケット（３ａ）、（３ｂ）の間、及び（３ｂ）、（３ｃ）の間を縫着して仕切り、蒲鉾型収納ポケット（３ａ）、（３ｂ）、（３ｃ）毎に開閉ファスナー（４）を設けるが、その際、開閉ファスナー（４）は隣り合う２列の蒲鉾型収納ポケット（３ｂ）、（３ｃ）については仕切り部（５）に沿って設け、残った１列の蒲鉾型収納ポケット（３ａ）は、外側縁に沿って設ける。このように形成された蒲鉾型収納ポケット（３）を、背ボード（１）の長手辺（６）に並行に置き、長手辺（６ａ）、（６ｂ）は両縁に沿って固着する。蒲鉾型収納ポケット（３）及び背ボード（１）の両者の短手辺（７）縁は固着せず、両者の間は引き離せばトンネル状になるようなフリーな空間（８）が残るように意図的に形成され、蒲鉾型収納ポケット（３）は背ボード（１）の短手辺（７）に並行な方向に一定の限度内で位置が微妙にずれ合う余地が保持され、スーツケースの凹凸スペースに柔軟に適応して収まることができる。
本発明は以上のような構造である。  
本発明を使用する時は、蒲鉾型収納ポケット（３ａ）、（３ｂ）、（３ｃ）に設けられている各開閉ファスナー（４）を開けて、旅行先で使う小物類を収納させる。両短手辺（７）が固着されていないことで生じるフリー空間（８）に手をいれて持ちながら開閉ファスナー（４）を開けるととても入れやすい。
蒲鉾型収納ポケット（３ａ）、（３ｂ）、（３ｃ）に小物類を収納したら、蒲鉾型収納ポケット（３）側を下に向け、スーツケース内部の取っ手収納部（１２）周辺の３か所の凹み部（９ａ）、（９ｂ）、（９ｃ）に蒲鉾型収納ポケット（３ａ）、（３ｂ）、（３ｃ）をはめ込む。フリーな空間（８）を持たせていることで、凹凸の幅や大きさに左右されず、どのサイズのスーツケースにも使用することができる。
蒲鉾型収納ポケット（３ａ）、（３ｂ）、（３ｃ）に小物をいれて凹み部（９ａ）、（９ｂ）、（９ｃ）にはめ込むと、収納されている小物の重みで、凹み部（９ａ）、（９ｂ）、（９ｃ）にしっかりと固定されることになる。凹み部（９ａ）、（９ｂ）、（９ｃ）に固定されると、背ボード（１）の面がフラットな蓋となり、その上に衣料用の収納ケース等を整然と並べて収納することが可能となり、スーツケース内における収納空間スペースをとても効率よく使用できるという特徴を持つ。
また、蒲鉾型収納ポケット（３ｃ）は、数個の仕切り（１０）で更に小さなスペースに区分けされているため、デジカメや充電器、バッテリー等、電化製品の収納に適しており、蒲鉾型収納ポケット（３ｃ）内で小物同士がぶつかりあったりするのを防ぎ、固定する効果がある。
背ボード（１）にあるループ状のひも（１１）は、はめ込まれている蒲鉾型収納ポケット（３）を引き出す際に持ち手として使用する他、ループ状になっているため、本体をスーツケース外へ持ち出し、そのまま引っかけ吊るすという使い方もできる。小物を本体に収納したまま持ち出すことで、スーツケース内をとてもすっきりとさせることができる。
【符号の説明】
【０００８】
１  背ボード  ３  蒲鉾型収納ポケット  ３ａ  蒲鉾型収納ポケット，３ｂ  蒲鉾型
収納ポケット，３ｃ  蒲鉾型収納ポケット  ４  開閉ファスナー  ５  仕切り部  
６  長手辺  ６ａ  長手辺  ６ｂ  長手辺  ７  短手辺  ８  フリーな空間  
９  凹み部  １０  仕切り  １１  ループ状のひも  １２  取っ手収納部
【要約】      （修正有）【課題】スーツケース内部の取っ手収納部の凹みスペースを有効活用する小物収容ケースを提供する。【解決手段】取っ手収納部を備えたスーツケースの中に収まる大きさの略長方形のボードの全面にメッシュ生地を覆い被せて形成された背ボード１と、メッシュ生地で形成されており、それぞれに開閉ファスナーが設けられ、互いの間が縫着して仕切られて３列に並べられた縦長収納ポケット３ａ、３ｂ、３ｃと、からなる小物収容ケースである。当該小物収容ケースの３列の縦長収納ポケットを、スーツケース内部の取っ手収納部１２周辺の３ヶ所の凹み部９ａ，９ｂ，９ｃにはめ込んで使用する。【選択図】図３【図１】
0005466282.tif 000002
【図２】
0005466282.tif 000003
【図３】
0005466282.tif 000004
【図４】
0005466282.tif 000005
【図５】
0005466282.tif 000006